(57)【要約】      （修正有）【課題】光透過面積が大きく、柔らかい光が得られ、組立て設置が簡単な軽量鉄骨フレームのＬＥＤランプ構造を提供する。【解決手段】陣列状矩形枠のＬＥＤランプは、矩形ライトボックス１、ＬＥＤ照明装置および矩形光透過パネルからなる。矩形ライトボックスは下向きに軽量鉄骨フレーム５の相対する枠５２の収納スペース５４内に対応して設置する。ＬＥＤ照明装置はライトボックスの内部に設置する。該矩形光透過パネルはライトボックスの底部に設置し、且つ光透過パネルの縦横のサイズは、軽量鉄骨フレームの相対する枠開口５６の縦横のサイズより長く、軽量鉄骨フレームの相対する枠の四周枠辺５５に設置する。ＬＥＤ照明装置の光は光透過パネルと枠開口を通じて下向きに投射される。【選択図】図１
0003184276.tif 000002
【実用新案登録請求の範囲】
【請求項１】
軽量鉄骨フレーム、ＬＥＤランプを含み、
該軽量鉄骨フレームは複数の支柱を縦横に交差して複数の陣列状の矩形枠を構成し、各枠は四周の枠壁との間に収納スペースを形成し、四周の枠壁の底部は、それぞれ内側に枠辺を延伸することで、収納スペースと合い通じる矩形枠の開口を構成し、
該ＬＥＤランプは一つの矩形ライトボックス、一つのＬＥＤ照明装置および一つの矩形光透過パネルを含み、
該矩形ライトボックスは下向きに軽量鉄骨フレームの相対する枠の収納スペース内に対応して設置し、該トップボードは四周にサイドボードおよびフラップを接続し、開口が下向きのライトボックス開口を構成し、
該ＬＥＤ照明装置をライトボックスの内部に設置し、
該矩形光透過パネルはライトボックスの底部に設置し、且つ軽量鉄骨フレームの相対する枠の四周枠辺に設置し、光透過パネルの縦横のサイズは、軽量鉄骨フレームの相対する枠開口の縦横のサイズより長く、ＬＥＤ照明装置の光は光透過パネルと枠開口を通じて下向きに投射することを特徴とする軽量鉄骨フレームのＬＥＤランプの構造。
【請求項２】
前記ＬＥＤランプの光透過パネルはライトボックスの底部と枠の四周枠辺のトップ面に設置することを特徴とする請求項１記載の軽量鉄骨フレームのＬＥＤランプの構造。
【請求項３】
前記ＬＥＤランプの光透過パネルの縦横のサイズはライトボックスの縦横のサイズより短い或いは同じであることを特徴とする請求項２記載の軽量鉄骨フレームのＬＥＤランプの構造。
【請求項４】
前記ＬＥＤランプの光透過パネルはライトボックスの底部に接続固定して設置することを特徴とする請求項２記載の軽量鉄骨フレームのＬＥＤランプの構造。
【請求項５】
前記ＬＥＤランプの光透過パネルは拡散板とすることを特徴とする請求項２記載の軽量鉄骨フレームのＬＥＤランプの構造。
【請求項６】
前記ライトボックスのトップボードは、うち一つのサイドボードにパンチングエッジを含む折板を打ち抜き、ＬＥＤ照明装置は外部電源と変圧器を接続することで、変圧器はトップボードの折板の底部に固定することを特徴とする請求項１或いは請求項２記載の軽量鉄骨フレームのＬＥＤランプの構造。
【請求項７】
前記折板の相対する別側はうちの一つのサイドボードの近くにあり、折辺を構成し、該折板のパンチングエッジとトップボードの間に、分割スロットを設けることを特徴とする請求項６記載の軽量鉄骨フレームのＬＥＤランプの構造。
【考案の詳細な説明】
【技術分野】
【０００１】
本考案はＬＥＤランプの構造に関し、特に軽量鉄骨フレームに設置するＬＥＤランプの構造に関する。
【背景技術】
【０００２】
発光ダイオード(ＬＥＤ)は従来の蛍光灯に比べると、発光効率が高い、体積が小さく、反応が早い、ランプの効率が高い、寿命が長い、減衰しにくい、電源効率が良い、外観が堅い、耐衝撃性、フルカラー発光(不可視光線を含む)、色温度の範囲が広い、指向デザインがしやすい、低電圧、低電流、変換ロスが低い、熱放射が少ない、量産しやすい、エコなどのメリットがある。ゆえに近年発光ダイオードのマーケット占有率は次第に上昇し、従来の蛍光灯に取って代わり、発光ダイオードのランプを照明機能として使用するシーンが多くなってきた。
【０００３】
一般的に天井の軽量鉄骨フレームに設置してある照明器具の多くは、軽量鉄骨フレームの間に設置してある天井灯ライトボックスの中に従来の蛍光灯を設置し、照明として使用している。前述の発光ダイオードランプのメリットを鑑みて、近年天井灯ライトボックスの中には、従来の蛍光灯の代わりに発光ダイオードを設置する商品が案出されている。つまり、現在市場の発光ダイオードのランプの多くは、従来の蛍光灯のやり方を継承していることが多く、天井灯ライトボックスを軽量鉄骨フレームの枠内に設置し、そこに発光ダイオードの設置スペースを作る。更にライトボックスの底面パネルの中に拡散板を設けることで、光がやわらかくなる。
【０００４】
しかし、従来技術の照明ランプ用のライトボックスのパネルと拡散板では、天井と室内インテリアと合わないことがあり、また、パネルは拡散板の光を透過する面積と照明効能に影響を与える。その他、ライトボックスとパネル、拡散板などの組立てと設置は比較的面倒且つ不便である上、照明器具を長時間使用する際、拡散板が緩みやすいことなどを鑑みて、更なる改善が必要であった。
【先行技術文献】
【特許文献】
【０００５】
【特許文献１】特開平１０−４１５５１号公報
【考案の概要】
【考案が解決しようとする課題】
【０００６】
前記公知構造の欠点を解決するため、本考案は二つの目的を提供する。本考案の第１の目的は、ＬＥＤランプの矩形光透過パネルを直接ライトボックスの底部に設置し、且つ光透過パネルの縦横のサイズが軽量鉄骨フレームの相対する枠の開口の縦横のサイズより長く、軽量鉄骨フレームの相対する枠の四周枠辺に設置することで、ＬＥＤランプおよび光透過パネルは、光を透過する面積が大きく、明かりが柔らかいなどのメリットを持つ。また、組立てが便利で安定する。光透過パネルは通常のとき(点灯していないとき)、外観は一般の天井板と変わらないため、室内のインテリアに最も適している軽量鉄骨フレームのＬＥＤランプの構造を提供することにある。本考案の第２の目的は、ＬＥＤランプはライトボックスのトップ部分にある折板の底部に、変圧器を固定することで、ライトの高さが増えるのを避けることができる。変圧器が故障した際、上向きに折板を折り曲げれば、すばやく変圧器を交換することができ、直接元に折り返せば元の形に戻すことができる軽量鉄骨フレームのＬＥＤランプの構造を提供することにある。
【課題を解決するための手段】
【０００７】
前記課題を解決するために、本考案は軽量鉄骨フレームのＬＥＤランプの構造を提供することにある。本考案のＬＥＤランプが使用する軽量鉄骨フレームは複数の支柱を縦横に交差して複数の陣列状の矩形枠を構成し、各枠は四周の枠壁との間に収納スペースを形成し、四周の枠壁の底部は、それぞれ内側に枠辺を延伸することで、収納スペースと合い通じる矩形枠の開口を構成する。該ＬＥＤランプに含まれるのは一つの矩形ライトボックス、一つのＬＥＤ照明装置および一つの矩形光透過パネルである。該矩形ライトボックスは下向きに軽量鉄骨フレームの相対する枠の収納スペース内に対応して設置し、該トップボードは四周にサイドボードおよびフラップを接続し、開口が下向きのライトボックス開口を構成する。該ＬＥＤ照明装置はライトボックスの内部に設置する。該矩形光透過パネルはライトボックスの底部に設置し、且つ軽量鉄骨フレームの相対する枠の四周枠辺に設置する。光透過パネルの縦横のサイズは、軽量鉄骨フレームの相対する枠開口の縦横のサイズより長い。ＬＥＤ照明装置の光は光透過パネルと枠開口を通じて下向きに投射する。
【０００８】
最良実施例では、該ＬＥＤランプの光透過パネルをライトボックスの底面と枠の四周の枠辺のトップ面との間に設置する。更に該ＬＥＤランプの光透過パネルの縦横のサイズはライトボックス１の縦横のサイズより短い或いは同じとする。
【０００９】
最良実施例では、該ＬＥＤランプの光透過パネルはライトボックスの底部に接続固定して設置する。また、光透過パネルは拡散板とすることができる。
【００１０】
最良実施例では、該ライトボックスのトップボードは、うち一つのサイドボードにパンチングエッジを含む折板を打ち抜く。ＬＥＤ照明装置は外部電源と変圧器を接続することで、変圧器はトップボードの折板の底部に固定する。更に、折板の相対する別側はうちの一つのサイドボードの近くにあり、折辺を構成する。また、折板のパンチングエッジとトップボードの間に、分割スロットを設ける。
【考案の効果】
【００１１】
本考案の構造により、ＬＥＤ照明装置の光は光透過パネルと枠開口を通じて下向きに投射することため、ＬＥＤランプおよびその光透過パネルが、光透過する面積が大きく、また光が柔らかいなどのメリットを持ち、組立て設置が簡単で安定する。また、光透過パネルが点灯していないとき、外観は一般の天井板と変わらないため、室内のインテリアに最も適している。
【図面の簡単な説明】
【００１２】
【図１】本考案の最良実施例の軽量鉄骨フレームのＬＥＤランプの使用状況図である。
【図２】図１の軽量鉄骨フレームのＬＥＤランプの使用状況の仰視図である。
【図３】図１の軽量鉄骨フレームのＬＥＤランプの使用状況の断面図である。
【図４】図１の軽量鉄骨フレームのＬＥＤランプの立体図である。
【図５】図４のＬＥＤランプの仰視図である。
【図６】図４のＬＥＤランプより光透過パネルの分解図である。
【図７】図４のＬＥＤランプの折れ部位の拡大図である。
【図８】図７のＬＥＤランプの折板の動作図である。
【図９】図８の折板を反対側に折り戻す略図である。
【図１０】本考案の最良実施例のＬＥＤランプを光透過パネルと螺接する立体図である。
【考案を実施するための形態】
【００１３】
本考案による軽量鉄骨フレームのＬＥＤランプの構造を明確に示すために図に沿って詳細な説明を行う。図１から図４に示すように、本考案のＬＥＤランプは軽量鉄骨フレーム５に設置するのに適するものである。図に示すように、軽量鉄骨フレーム５は複数の支柱５１を縦横に交差して複数の陣列状の矩形枠５２を構成し、各枠５２は四周の枠壁５３との間に収納スペース５４を形成し、四周の枠壁５３の底部は、それぞれ内側に枠辺５５を延伸することで、収納スペース５４と合い通じる矩形の枠開口５６を構成し、複数の枠５２の中では天井板６を設置するセレクトも可能である。
【００１４】
本考案のＬＥＤランプは矩形ライトボックス１、ＬＥＤ照明装置２、光透過パネル３および変圧器４(図３を参照)で構成し、軽量鉄骨フレーム５の予定枠５２内に設置する。その中で、該ライトボックス１は下向きに軽量鉄骨フレーム５の相対する枠５２の収納スペース５４内に対応して設置する。図１から図６に示すように、金属製ライトボックス１のトップボード１１は四周にサイドボード１２およびフラップ１４を接続し、開口が下向きのライトボックス開口１３を構成する。
【００１５】
該ＬＥＤ照明装置２はライトボックス１内部のトップ面に設置する。図１、図３、図４および図６を参照する。ＬＥＤ照明装置２は複数のＬＥＤバーライトおよびそのＬＥＤランプ２２を具有し、且つ外部電源コード２３と変圧器４を接続する。
【００１６】
図１から図６に示すように、該光透過パネル３は粘着或いは分離可能の方法でライトボックス１の底部に設置し、且つ軽量鉄骨フレーム５の相対する枠５２の四周枠辺５５に設置する。光透過パネル３の縦横のサイズは、軽量鉄骨フレーム５の相対する枠開口５６の縦横のサイズより長い。最良実施例では、ＬＥＤランプの光透過パネル３は拡散板とすることができ、該光透過パネル３をライトボックス１の底面と枠５２の四周の枠辺５３のトップ面との間に設置し、光透過パネル３の縦横のサイズはライトボックス１の縦横のサイズより短い或いは同じとすることができる。
【００１７】
本考案のＬＥＤランプは図１、図２および図３に示す使用状態の中で、光透過パネル３はライトボックス１の底部に設置し、且つ軽量鉄骨フレーム５の相対する枠５２の四周枠辺５５に設置する。光透過パネル３の縦横のサイズは軽量鉄骨フレーム５の枠開口５６の縦横のサイズより長い。ＬＥＤ照明装置２の光は光透過パネル３と枠開口５６を通じて下向きに投射することで、ＬＥＤランプおよびその光透過パネル３が、光透過する面積が大きく、また光が柔らかいなどのメリットを持つ。また、組立て設置が簡単で安定するため、光透過パネル３が緩むのを避けることができる。また、光透過パネル３が通常のとき(点灯していないとき)、外観は一般の天井板６と変わらないため、室内のインテリアに最も適している。
【００１８】
図４、図６および図７に示すように、ライトボックス１のトップボード１１は、うち一つのサイドボード１２にパンチングエッジ１６を含む折板１５を打ち抜く。ＬＥＤ照明装置２の変圧器４は螺接部品４１を用いてトップボード１１の折板１５の底部に固定する。更に、折板１５の相対する別側はうちの一つのサイドボード１２の近くにあり、折辺１８を構成する。また、折板１５のパンチングエッジ１６とトップボード１１の間に、分割スロット１７および接続棒１９を設ける。
【００１９】
本考案のＬＥＤランプは、ライトボックス１のトップ部分にある折板１５の底部に、変圧器４を固定することで、ライトの高さが増えるのを避けることができる。変圧器４が故障した際、図８に示すように、上向きに折板１５を折り曲げれば、すばやく変圧器４を交換することができ、図９に示すように、直接元に折り返せば元の形に戻すことができる。
【００２０】
図５および図６に示すように、本考案のＬＥＤランプの光透過パネル３はライトボックス１の底部に粘着或いは分離可能の方法で設置することができる。この他、図１０に示すように、ねじ３１を使って光透過パネル３に通し、ライトボックス１の底部に接続固定する。
【００２１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２２】
１  ライトボックス
１１  トップボード
１２  サイドボード
１３  ライトボックス開口
１４  フラップ
１５  折板
１６  パンチングエッジ
１７  分割スロット
１８  折辺
１９  接続棒
２  ＬＥＤ照明装置
２１  ＬＥＤバーライト
２２  ＬＥＤランプ
２３  電源コード
３  光透過パネル
３１  ねじ
４  変圧器
４１  ねじ部品
５  軽量鉄骨フレーム
５１  支柱
５２  枠
５３  枠壁
５４  収納スペース
５５  枠辺
５６  枠開口
６  天井板
【図１】
0003184276.tif 000003
【図２】
0003184276.tif 000004
【図３】
0003184276.tif 000005
【図４】
0003184276.tif 000006
【図５】
0003184276.tif 000007
【図６】
0003184276.tif 000008
【図７】
0003184276.tif 000009
【図８】
0003184276.tif 000010
【図９】
0003184276.tif 000011
【図１０】
0003184276.tif 000012